(57)【要約】【課題】本発明は、アッパーブラケット中に浸透した燃料のインタンクポンプ用電子ユニットを収納したケース内への浸入を防止することができ、燃料がインタンクポンプ用電子ユニットの電子部品に影響を与えることを防止することができるインタンクポンプ用電子ユニットを提供することを課題とする。【解決手段】ケース５は、アッパーブラケット３上にゴムカバー９を介して設置されているため、ケース５とアッパーブラケット３との間には、大気層１２が形成されている。従って、アッパーブラケット３を浸透してきた燃料は、大気層１２に拡散してケース５に浸透することないため、燃料がケース５内に浸入することが防止されている。位置決めガイド１３は、ケース５の全周に亘って連続的に形成されておらず、ケース５とアッパーブラケット３との間に形成された大気層１２は、密閉されることなく外部と連通している。【選択図】        図２
2004169565.tif 000002
【特許請求の範囲】
【請求項１】
燃料タンク内に配置されたインタンクポンプに駆動電流を供給するインタンクポンプ用電子ユニットであって、
前記燃料タンクの上部の開口部に取り付けられたアッパーブラケットと、
該アッパーブラケット上に設置されたケースと、
該ケース内に収納された電子基板と、
前記アッパーブラケットを貫通して前記電子基板から供給される駆動電流を前記燃料タンク内に導くターミナルとを具備し、
前記アッパーブラケットと前記ケースとの間には、前記アッパーブラケットに浸透した燃料の前記ケース内への浸入を防止する大気層が形成されていることを特徴とするインタンクポンプ用電子ユニット。
【請求項２】
前記ターミナルは、前記アッパーブラケットを貫通する部分で屈曲されており、当該屈曲部分の前記ターミナルと前記アッパーブラケットとの間には、漏れ防止剤が塗布されていることを特徴とする請求項１記載のインタンクポンプ用電子ユニット。
【請求項３】
前記ターミナルの前記ケースを貫通する部分に設けられ、前記ターミナルが貫通するゴムカバーを具備し、
前記ターミナルは、前記ゴムカバーによって前記大気層に晒されることなく前記アッパーブラケットから前記ケース内に導入されていることを特徴とする請求項１又は２記載のインタンクポンプ用電子ユニット。
【請求項４】
前記アッパーブラケットの前記電子基板に対峙しない領域に形成された固定部材によって、前記電子基板により上方の位置で前記ケースが前記アッパーブラケットに固定されていることを特徴とする請求項１乃至３のいずれかに記載のインタンクポンプ用電子ユニット。
【請求項５】
前記固定部材の側面と前記ケースとの間には、前記大気層が形成されていることを特徴とする請求項４記載のインタンクポンプ用電子ユニット。
【発明の詳細な説明】
【０００１】
【発明の属する技術分野】
本発明は、燃料タンク内に配置され使用されるインタンクポンプに駆動電流を供給するインタンクポンプ用電子ユニットに関し、特に燃料タンクの上部に形成された開口部を覆うアッパーブラケットに取り付けて使用するインタンクポンプ用電子ユニットに関する。
【０００２】
【従来の技術】
従来、燃料タンクの上部に形成された開口部を覆うアッパーブラケットにインタンクポンプを取り付け、アッパーブラケットを燃料タンクの開口部に取り付けることにより、インタンクポンプは、燃料タンク内の燃料中に浸漬されるように配置される。燃料タンク内に配置されたインタンクポンプに駆動電流を供給するインタンクポンプ用電子ユニットは、アッパーブラケットに一体的に形成されたケース内に収納されるようになっている（例えば、特許文献１参照。）。
【０００３】
【特許文献１】
特開平６−２８０７０７号公報（第１図）
【０００４】
【発明が解決しようとする課題】
しかしながら、従来技術では、アッパーブラケットにポリアセタール樹脂（ＰＯＭ）等の高分子材を用いた場合には、アッパーブラケット中に微量の燃料が浸透し、長期的には、アッパーブラケットに一体的に形成されたケース内に燃料が浸入し、インタンクポンプ用電子ユニットの電子部品への影響が懸念されるという問題点があった。
【０００５】
本発明は斯かる問題点を鑑みてなされたものであり、その目的とするところは、アッパーブラケット中に浸透した燃料のインタンクポンプ用電子ユニットを収納したケース内への浸入を防止することができ、燃料がインタンクポンプ用電子ユニットの電子部品に影響を与えることを防止することができるインタンクポンプ用電子ユニットを提供する点にある。
【０００６】
【課題を解決するための手段】
本発明は上記課題を解決すべく、以下に掲げる構成とした。
請求項１記載の発明の要旨は、燃料タンク内に配置されたインタンクポンプに駆動電流を供給するインタンクポンプ用電子ユニットであって、前記燃料タンクの上部の開口部に取り付けられたアッパーブラケットと、該アッパーブラケット上に設置されたケースと、該ケース内に収納された電子基板と、前記アッパーブラケットを貫通して前記電子基板から供給される駆動電流を前記燃料タンク内に導くターミナルとを具備し、前記アッパーブラケットと前記ケースとの間には、前記アッパーブラケットに浸透した燃料の前記ケース内への浸入を防止する大気層が形成されていることを特徴とするインタンクポンプ用電子ユニットに存する。
また請求項２記載の発明の要旨は、前記ターミナルは、前記アッパーブラケットを貫通する部分で屈曲されており、当該屈曲部分の前記ターミナルと前記アッパーブラケットとの間には、漏れ防止剤が塗布されていることを特徴とする請求項１記載のインタンクポンプ用電子ユニットに存する。
また請求項３記載の発明の要旨は、前記ターミナルの前記ケースを貫通する部分に設けられ、前記ターミナルが貫通するゴムカバーを具備し、前記ターミナルは、前記ゴムカバーによって前記大気層に晒されることなく前記アッパーブラケットから前記ケース内に導入されていることを特徴とする請求項１又は２記載のインタンクポンプ用電子ユニットに存する。
また請求項４記載の発明の要旨は、前記アッパーブラケットの前記電子基板に対峙しない領域に形成された固定部材によって、前記電子基板により上方の位置で前記ケースが前記アッパーブラケットに固定されていることを特徴とする請求項１乃至３のいずれかに記載のインタンクポンプ用電子ユニットに存する。
また請求項５記載の発明の要旨は、前記固定部材の側面と前記ケースとの間には、前記大気層が形成されていることを特徴とする請求項４記載のインタンクポンプ用電子ユニットに存する。
【０００７】
【発明の実施の形態】
以下、本発明の実施の形態を図面に基づいて詳細に説明する。
【０００８】
（第１の実施の形態）
図１は、本発明に係るインタンクポンプ用電子ユニットの実施の形態の構成を示す上面図であり、図２は、図１に示すＸ−Ｘ’断面図であり、図３は、図１に示すＹ−Ｙ’断面図である。
【０００９】
第１の実施の形態は、図１乃至図３を参照すると、燃料タンク１内に配置されるインタンクポンプ２は、アッパーブラケット３にポンプ取り付け具４によって取り付けられており、アッパーブラケット３を燃料タンク１の上部に形成された開口部に取り付けることにより燃料タンク１内の燃料中に浸漬されるように配置され、インタンクポンプ２の駆動によって、燃料タンク１内の燃料がポンプ取り付け具４の中心部に形成された吐出口１７から燃料タンク１外に吐出される。なお、燃料タンク１およびアッパーブラケット３の材質としては、ポリアセタール樹脂（ＰＯＭ）等の高分子材が用いられる。
【００１０】
インタンクポンプ２に駆動電流を供給するインタンクポンプ用電子ユニットは、ケース５と、ケース５内に収納された電子基板６と、外部から電子基板６に電力を供給するためのタンク外ターミナル７と、電子基板６から燃料タンク１内にインタンクポンプ２を駆動する駆動電流を供給するタンク内ターミナル８と、タンク外ターミナル７およびタンク内ターミナル８がケース５内に導入される箇所に設けられたゴムカバー９とからなり、アッパーブラケット３の上部に設置されている。
【００１１】
ケース５は、ポリアセタール樹脂等の高分子材で構成され、上部に開口を有して箱形状である。ケース５の底面部には、タンク外ターミナル７とタンク内ターミナル８とがそれぞれ貫通する２つの開口が形成されており、当該開口には、フッ素ゴム、ニトリルゴム（ＮＢＲ）等からなる耐油性を有するゴムカバー９が装着され、ケース５の底面に形成された開口に装着されたゴムカバー９を貫通してタンク外ターミナル７とタンク内ターミナル８とがケース５内に導入されている。
【００１２】
電子基板６には、インタンクポンプに供給する駆動電流を制御するための電子部品が装着されており、ケース５内でタンク外ターミナル７とタンク内ターミナル８とにそれぞれ接続された状態でモールド樹脂１１によって封止されている。
【００１３】
タンク外ターミナル７は、鉄、銅等の導電性の部材であり、図２を参照すると、アッパーブラケット３に埋め込まれ、一端部がアッパーブラケット３の上部に垂直に植立されてケース５を貫通して電子基板６に至り、他端部がアッパーブラケット３の上部に垂直に植立されて外部コネクタ部１４に突出している。
【００１４】
タンク内ターミナル８は、鉄、銅等の導電性の部材であり、アッパーブラケット３に埋め込まれ、一端部がアッパーブラケット３の上部に垂直に植立されてケース５を貫通して電子基板６に至り、他端部がアッパーブラケット３の下部、すなわち燃料タンク１内に垂直に植立されてタンク内コネクタ部１５に突出している。すなわち、タンク内ターミナル８は、アッパーブラケット３とケース５とを貫通して電子基板６から供給される駆動電流を燃料タンク１内に導く構成となっている。また、タンク内ターミナル８は、図２を参照すると、アッパーブラケット３を貫通する部分で屈曲されており、当該屈曲部分のタンク内ターミナル８とアッパーブラケット３との間には、ガスケット剤もしくはシール剤等の漏れ防止剤１０が塗布され、タンク内ターミナル８とアッパーブラケット３との接触面を介して燃料が燃料タンク１外に漏れるのを防止している。
【００１５】
ケース５は、アッパーブラケット３の上部に形成された位置決めガイド１３によって位置決めされてアッパーブラケット３の上部に設置される。図２および図３に示すように、ケース５は、アッパーブラケット３上にゴムカバー９を介して設置されているため、ケース５とアッパーブラケット３との間には、大気層１２が形成されている。従って、アッパーブラケット３を浸透してきた燃料は、大気層１２に拡散してケース５に浸透することないため、燃料がケース５内に浸入することが防止されている。位置決めガイド１３は、図１に示すように、ケース５の全周に亘って連続的に形成されておらず、ケース５とアッパーブラケット３との間に形成された大気層１２は、密閉されることなく外部と連通している。
【００１６】
また、タンク外ターミナル７とタンク内ターミナル８とは、ケース５の底面に形成された開口に装着されたゴムカバー９を貫通してケース５内に導入されているため、ゴムカバー９によって大気層１２に晒されることなくアッパーブラケット３からケース５内に導入されており、大気層１２に拡散した燃料（気化物質）がタンク外ターミナル７とタンク内ターミナル８に沿ってケース５内に浸入することを防止している。
【００１７】
以上説明したように、第１の実施の形態によれば、ケース５とアッパーブラケット３との間に大気層１２を設けて、アッパーブラケット３中に浸透した燃料がケース５に浸透することを防ぐ構成にしたことにより、アッパーブラケット３中に浸透した燃料の電子基板６を収納したケース５内への浸入を防止することができ、燃料が電子基板６に装着された電子部品に影響を与えることを防止することができるという効果を奏する。
【００１８】
さらに、第１の実施の形態によれば、タンク内ターミナル８をアッパーブラケット３内で屈曲させ、当該屈曲部分のタンク内ターミナル８とアッパーブラケット３との間に漏れ防止剤１０を塗布することにより、タンク内ターミナル８とアッパーブラケット３との接触面を介して燃料が燃料タンク１外に漏れるのを防ぐことができ、燃料が電子基板６に装着された電子部品に影響を与えることを防止することができるという効果を奏する。
【００１９】
なお、第１の実施の形態では、ケース５とアッパーブラケット３との間にゴムカバー９のみが介在するものとして説明したが、ケース５をアッパーブラケット３にネジ等で固定するための凸部をアッパーブラケット３に設けても良い。この場合には、ケース５と凸部とが接触することになるが、アッパーブラケット３の凸部に浸透した燃料の大部分は、ケース５に到達する前に大気層１２に拡散するため、アッパーブラケット３の凸部を介してケース５内に燃料が浸入することがない。
【００２０】
（第２の実施の形態）
図４は、本発明に係るインタンクポンプ用電子ユニットの第２の実施の形態の構成を示す側断面図であり、図５は、図４に示すＺ−Ｚ’断面図である。
【００２１】
第２の実施の形態は、アッパーブラケット３に固定部材３ａを形成し、固定部材３ａとケース５とを固定する構成になっており、その他の構成は、第１の実施の形態とほぼ同一の構成となっている。
【００２２】
固定部材３ａは、ケース５の全周に亘って形成されており、固定部材３ａの上部にケース５がビス１６もしくは接着剤によって固定されている。ケース５が固定部材３ａに固定された状態で、図４および図５に示すように、ケース５とアッパーブラケット３の上面および固定部材３ａの側面との間には、大気層１２が形成され、大気層１２は、固定部材３ａに形成されている空気穴３ｂによって外部と連通している。
【００２３】
固定部材３ａは、図４および図５を参照すると、アッパーブラケット３のケース５（電子基板６）に対峙しない領域に形成され、電子基板６により上方の位置でケース５が固定部材３ａに固定されているため、固定部材３ａに浸透してきた燃料は、大気層１２もしくは外部に発散され、ケース５内に浸入することがない。
【００２４】
また、第２の実施の形態においては、ケース５を熱伝導率の高い金属製ケースとすることもでき、ケース５を金属製ケースとした場合には、電子基板６に装着されている電子部品で発生した熱をケース５を通じて大気層１２に効率よく放熱することができる。
【００２５】
以上説明したように、第２の実施の形態によれば、ケース５とアッパーブラケット３とを固定する位置をアッパーブラケット３のケース５（電子基板６）に対峙しない領域で、且つ、電子基板６により上方の位置とすることにより、アッパーブラケット３中に浸透した燃料の電子基板６を収納したケース５内への浸入を防止することができ、燃料が電子基板６に装着された電子部品に影響を与えることを防止することができるという効果を奏する。
【００２６】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【００２７】
【発明の効果】
本発明のインタンクポンプ用電子ユニットは、ケースとアッパーブラケットとの間に大気層を設けて、アッパーブラケット中に浸透した燃料がケースに浸透することを防ぐ構成にしたことにより、アッパーブラケット中に浸透した燃料の電子基板を収納したケース内への浸入を防止することができ、燃料が電子基板に装着された電子部品に影響を与えることを防止することができるという効果を奏する。
【００２８】
さらに、本発明のインタンクポンプ用電子ユニットは、タンク内ターミナルをアッパーブラケット内で屈曲させ、当該屈曲部分のタンク内ターミナルとアッパーブラケットとの間に漏れ防止剤を塗布することにより、タンク内ターミナルとアッパーブラケットとの接触面を介して燃料が燃料タンク外に漏れるのを防ぐことができ、燃料が電子基板に装着された電子部品に影響を与えることを防止することができるという効果を奏する。
【００２９】
さらに、本発明のインタンクポンプ用電子ユニットは、ケースとアッパーブラケットとを固定する位置をアッパーブラケットのケース（電子基板）に対峙しない領域で、且つ、電子基板により上方の位置とすることにより、アッパーブラケット中に浸透した燃料の電子基板を収納したケース内への浸入を防止することができ、燃料が電子基板に装着された電子部品に影響を与えることを防止することができるという効果を奏する。
【図面の簡単な説明】
【図１】本発明に係るインタンクポンプ用電子ユニットの第１の実施の形態の構成を示す上面図である。
【図２】図１に示すＸ−Ｘ’断面図である。
【図３】図１に示すＹ−Ｙ’断面図である。
【図４】本発明に係るインタンクポンプ用電子ユニットの第２の実施の形態の構成を示す側断面図である。
【図５】図４に示すＺ−Ｚ’断面図である。
【符号の説明】
１  燃料タンク
２  インタンクポンプ
３  アッパーブラケット
３ａ  固定部材
３ｂ  空気穴
４  ポンプ取り付け具
５  ケース
６  電子基板
７  タンク外ターミナル
８  タンク内ターミナル
９  ゴムカバー
１０  漏れ防止剤
１１  モールド樹脂
１２  大気層
１３  位置決めガイド
１４  外部コネクタ部
１５  タンク内コネクタ部
１６  ビス
１７  吐出口
【図１】
2004169565.tif 000003
【図２】
2004169565.tif 000004
【図３】
2004169565.tif 000005
【図４】
2004169565.tif 000006
【図５】
2004169565.tif 000007